(57)【要約】【課題】玄関土間と玄関収納体の下面との間に、随時、必要に応じて棚を設け、来客時等における履物等の容易な納め入れ、取り出しをなし得る置き場所を提供できると共に、棚を必要としない際には、この棚部材における棚を玄関収納体における下面に寄せ付けて、玄関における外観体裁を良好に維持することができる。【解決手段】玄関土間Ａに沿った壁Ｃに備えられている玄関収納体Ａに対して、棚２２を備える棚部材２０を、この棚部材２０の棚２２を前記玄関収納体Ａの下面１０ａと玄関土間面Ａ’との間において所定の高さに位置づけ得るように、上下方向に移動調整可能に組み付けて構成してある。【選択図】図２
2008073452.tif 000002
【特許請求の範囲】
【請求項１】
玄関土間に沿った壁に備えられている玄関収納体に、
棚を備える棚部材を、この棚部材の棚を前記玄関収納体の下面と玄関土間面との間において所定の高さに位置づけ得るように、上下方向に移動調整可能に組み付けてあることを特徴とする玄関収納体。
【請求項２】
前記棚部材が、前記玄関収納体に抜き差しされる一対の摺動プレートと、この摺動プレートの下部間を連結するように備えられている固定棚と、この固定棚の上方にあって上下方向に移動調整可能に該摺動プレート間に架設されている補助棚とを備えていることを特徴とする請求項１に記載の玄関収納体。
【請求項３】
前記固定棚に水切り孔が設けてあることを特徴とする請求項２に記載の玄関収納体。
【発明の詳細な説明】
【技術分野】
【０００１】
この発明は、玄関口に備えられる玄関収納体に、上下方向に棚を移動可能に設定し得るように棚手段を昇降可能に設け、玄関収納体の下方に随時、随意に棚をセットして、来客時における履物等の収納手段として活用し得るようにした玄関収納体の提案に関する。
【背景技術】
【０００２】
通例、玄関口において脱ぎ履きされる履物、天候状況によって携行の左右される傘類や雨着、玄関口の清掃等に用いられる清掃用具等の収納、整理の手段として各種の玄関収納体が設置、用いられている。
【０００３】
かかる玄関口に設置、用いられる玄関収納体は、設置対象とされる玄関が比較的大きい設置スペースを備えている場合にあっては、さほど問題なく、それぞれの需要に対応した収納手段を当該玄関口に設置することができるものの、設置対象玄関が狭く、玄関口における収納、管理が好ましい履物、雨具類、掃除用具等を、好ましい態様に収納、管理するに必要な玄関収納体を設置し難い場合があった。
【０００４】
かかる玄関口における収納手段として、家具の下部の全周に台輪を形成して家具本体の一部を玄関の床に載置するとともに一部を土間側に突出させた玄関収納家具であって、土間側に出ている突出家具部分の台輪部の家具前面部分が開放されて突出家具部分の下方に前方が開放された収納部が形成されている玄関収納家具が提案されている（例えば、特許文献１）。
【０００５】
【特許文献１】特開２００１−１４９１４８公開特許公報
【発明の開示】
【発明が解決しようとする課題】
【０００６】
しかしながら、かかる収納家具にあっては、土間側に出ている突出家具部分の台輪部の家具前面部分が開放されて突出家具部分の下方に前方が開放された収納部が形成されているものの、この収納部を履物等の受け棚的に用いることができなかった。
【０００７】
また、かかる収納家具にあっては、玄関土間等の清掃に際して、前記収納部に収納されている収納物を移動する必要があり、また、玄関土間の濡れだし等に伴って、この収納部に収納されている収納物が濡れ出す等の不具合があった。
【０００８】
また、この収納部に収納される物が濡れている場合、収納物から濡れが伝播する不具合があり、また、乾燥を必要とする収納物にあっては乾燥に難があった。
【０００９】
この発明は、かかる玄関収納体における不具合に鑑み、玄関土間に沿って備えられる玄関収納体を玄関土間上に設けると共に、この玄関土間と玄関収納体の下面との間に構成される空間に、随意に棚を設け得るようにして、来客時等における履物等を容易、かつ、確実に収納し、必要に応じて、これを取り出し用いることができ、また、通常時においては、この棚を玄関収納体の下面に寄せ付けて玄関における外観体裁を整えるようにした玄関収納体の提供を目的としている。
【課題を解決するための手段】
【００１０】
この発明は、前記課題を解決するために、玄関土間に沿った壁に備えられている玄関収納体に、
棚を備える棚部材を、この棚部材の棚を前記玄関収納体の下面と玄関土間面との間において所定の高さに位置づけ得るように、上下方向に移動調整可能に組み付けてあることを特徴とする玄関収納体としてある。
【００１１】
このように構成される玄関収納体は、玄関収納体に備えられる棚部材を、必要に応じて下方に移動し、履物等の乗せ置き用の棚を玄関土間と玄関収納体の下面との間に設け、この棚を用いて履物等を収納整理し、また、この棚に収納されている履物等を取り出し用いることができる。
【００１２】
また、このように構成される玄関収納体にあっては、棚を必要としない場合、この棚を玄関収納体の下面に引き寄せ状態として、玄関における外観体裁を整えることができる。
【００１３】
また、前記構成に係る玄関収納体において、前記棚部材が、前記玄関収納体に抜き差しされる一対の摺動プレートと、この摺動プレートの下部間を連結するように備えられている固定棚と、この固定棚の上方にあって上下方向に移動調整可能に該摺動プレート間に架設されている補助棚とを備えていることを特徴とする玄関収納体にあっては、前記特長に併せて、下方に移動位置決めされた固定棚を、これに補助棚を重ねた状態で用いることができると共に、当該状態から補助棚を上方に移動位置づけて、上下二段の棚を備える状態にして用いることができる。
【００１４】
また、この補助棚を固定棚に重ね合わせ状態にして、当該固定棚を玄関収納体の下面に向けて移動位置づけ、玄関収納体の下面との間に必要な収納空間を有する棚を構成して用いることができる。
【００１５】
更に、この補助棚を重ね合わせた状態で、固定棚を玄関収納体の下面に寄せ付けることによって、玄関における外観体裁を整然とした状態に整えることができる。
【００１６】
また、前記構成に係る玄関収納体において、前記固定棚に水切り孔が設けてあることを特徴とする玄関収納体にあっては、前記特長に併せて、固定棚に乗せ置いた履物等の濡れを効果的に取り除くことができる。
【発明の効果】
【００１７】
玄関土間と玄関収納体の下面との間に、随時、必要に応じて棚を設け、来客時等における履物等の容易な納め入れ、取り出しをなし得る置き場所を提供できると共に、棚を必要としない際には、この棚部材における棚を玄関収納体における下面に寄せ付けて、玄関における外観体裁を良好に維持することができる。
【発明を実施するための最良の形態】
【００１８】
以下、図１〜図１４にもとづいて、この発明を実施するための最良の形態に係る玄関収納体について説明する。
【００１９】
なお、ここで図１は、当該発明を実施するための最良の形態に係る典型的な玄関収納体Ａを備える玄関部分の要部を斜め上方から示している。図２は、同棚２２を下方に寄せ付けた状態の玄関収納体Ａの要部破断して正面側から、図３は、同要部を破断して側面側から、第４図は、同要部拡大断面を正面側から、第５図は、補助棚２２を中間位置に備え付けた玄関収納体Ａの要部を破断して正面側から、図６は、同要部を破断して側面側から、図７は、同要部拡大断面を正面側から、図８は、棚部材２０と摺動プレート２１の係合手段状態を、掛合プレート３１を掛合孔２１ａに掛合した状態を下面側から見て示しており、図９は、この操作ロッド３５を引いて当該掛合を解いて、摺動プレート２１に対して棚部材２０をフリーとした状態を、下面側から見て示している。図１０は、掛合装置３０を構成する備品及び掛合対象物等の主要部品を分離して示した斜視図、図１１は、棚部材２０の下部側の要部を斜め上方から見て示している。図１２は、摺動プレート２１と棚部材２０との係合状態を下面側から見て示しており、図１２では、掛合プレート３１を掛合孔２１ａに掛合している状態を、図１３は、この掛合プレート３１の掛合孔２１ａに対する掛合を解放して、当該補助棚２２”を上下方向に移動自在としてある状態をそれぞれ下面側から見て示している。図１４は、かかる補助棚２２”と摺動プレート２１及び掛合装置３０’の主要部品を分離して示している。
【００２０】
この発明を実施するための最良の形態に係る典型的な玄関収納体Ａは、玄関土間Ａに沿った壁Ｃに備えられている玄関収納体Ａに対して、棚２２を備える棚部材２０を、この棚部材２０の棚２２を前記玄関収納体Ａの下面１０ａと玄関土間面Ａ’との間において所定の高さに位置づけ得るように、上下方向に移動調整可能に組み付けて構成してある。
【００２１】
なお、前記玄関収納体Ａは、家具などのように玄関において備えるようにしてあっても、また、キャビネットなどのように玄関に組み付けて備えるようにしてあっても、さらに、収納庫や収納室などのように玄関に造り備えられるようにしてあってもよく、例えば、玄関部分に収納用いられる屋外用履物、屋内用履物、雨具類、清掃用具等を収納するための下駄箱等の玄関家具、玄関収納キャビネット、造り付けの収納庫等の、いかなる収納手段として構成してあってもよい。
【００２２】
また、前記棚２２を備える棚部材２０は、当該棚部材２０の備える棚２２を、玄関収納体Ａの下面１０ａと玄関土間面Ａ’との間に所定の高さに位置づけ得るように上下方向に移動調整可能に玄関収納体Ａに備え付け得るものであれば、いかなる形態に構成してあっても、また、いかなる素材によって構成してあってもよい。
【００２３】
また、前記棚部材２０を構成する棚２２は、履物等を載せ置き得る棚機能を備えるものであれば、いかなる形態に構成してあっても、また、いかなる素材によって構成してあってもよい。
【００２４】
このように棚部材２０の備えられる玄関収納体Ａは、玄関に備えられている玄関収納体Ａの一部または全部にわたって設けるようにしてあっても、また、玄関に備えられる玄関収納体Ａのうちの個別の玄関収納体Ａに設けてあってもよい。また、個々の玄関収納体Ａにおける一部に設けてあっても、また、個々の玄関収納体Ａにおける全幅にわたるように設けてあってもよい。
【００２５】
このように構成される玄関収納体Ａは、玄関収納体Ａに備えられる棚部材２０を、必要に応じて下方に移動し、履物等の乗せ置き用の棚２２を玄関土間Ａと玄関収納体Ａの下面１０ａとの間に設け、この棚２２を用いて履物等を収納整理し、また、この棚２２に収納されている履物等を取り出し用いることができる。
【００２６】
また、このように構成される玄関収納体Ａにあっては、棚２２を必要としない場合、この棚２２を玄関収納体Ａの下面１０ａに引き寄せ状態として、玄関における外観体裁を整えることができる。
【００２７】
また、前記構成に係る玄関収納体Ａにおいて、前記棚部材２０が、前記玄関収納体Ａに抜き差しされる一対の摺動プレート２１と、この摺動プレート２１の下部間を連結するように備えられている固定棚２２’と、この固定棚２２’の上方にあって上下方向に移動調整可能に該摺動プレート２１間に架設されている補助棚２２”とを備えていることを特徴とする玄関収納体Ａにあっては、前記特長に併せて、下方に移動位置決めされた固定棚２２’を、これに補助棚２２”を重ねた状態で用いることができると共に、当該状態から補助棚２２”を上方に移動位置づけて、上下二段の棚２２を備える状態にして用いることができる。
【００２８】
また、この補助棚２２”を固定棚２２’に重ね合わせ状態にして、当該固定棚２２’を玄関収納体Ａの下面１０ａに向けて移動位置づけ、玄関収納体Ａの下面１０ａとの間に必要な収納空間を有する棚２２を構成して用いることができる。
【００２９】
更に、この補助棚２２”を重ね合わせた状態で、固定棚２２’を玄関収納体Ａの下面１０ａに寄せ付けることによって、玄関における外観体裁を整然とした状態に整えることができる。
【００３０】
また、前記構成に係る玄関収納体Ａにおいて、前記固定棚２２’に水切り孔２２’ａが設けてあることを特徴とする玄関収納体Ａにあっては、前記特長に併せて、固定棚２２’に乗せ置いた履物等の濡れを効果的に取り除くことができる。
【００３１】
ついで、図示例に係る玄関収納体Ａについて具体的に説明する。
この図示例に係る玄関収納体Ａは、玄関土間Ａに沿った壁Ｃに備えられている玄関収納体Ａに対して、棚２２を備える棚部材２０を、この棚部材２０の棚２２を前記玄関収納体Ａの下面１０ａと玄関土間面Ａ’との間において所定の高さに位置づけ得るように、上下方向に移動調整可能に組み付けて構成してある。
【００３２】
この図示例に係る玄関収納体Ａは、床部Ｄにおける玄関土間Ｂ側にある上がり框Ｄ’に連続する玄関土間Ｂに沿った壁Ｃに、玄関土間面Ａ’から所定高さで備えられている箱状体１０として構成してあり、例えば、下駄箱Ａ”などの玄関家具Ａ’などとして構成される。
【００３３】
かかる玄関収納体Ａをなす箱状体１０は、天板１１と、一対の側板１２，１２と、背板１３と、底板１４及び開き扉１５とを備えて構成してあり、各側板１２，１２をわたるように適宜、棚板１７〜１７を架設して、収納棚部を構成してある。
【００３４】
かかる玄関収納体Ａを構成する箱状体１０は、底板１４の下面１０ａのなす当該玄関収納体Ａの下面１０ａと玄関土間面Ａ’との間に所定の空間を設けてあり、この玄関収納体Ａ下空間に、随時、必要に応じて棚２２を構成し得るように当該箱状体１０に棚部材２０を設けてある。
【００３５】
この箱状体１０に備えられる棚部材２０は、前記各側板１２に沿って上下方向に摺動可能に備えられる一対の摺動プレート２１，２１と、この摺動プレート２１、２１の下端部を連結するように当該摺動プレート２１，２１に架設されている長方形の板状をなす棚２２とを備え、掛合手段によって、箱状体に対して、棚２２位置を調整し得るように、上下方向に移動、掛合可能に設けてある。
【００３６】
より具体的には、各側板１２における向き合っている内側面にそれぞれ設けられているガイドプレート１６に前記棚部材２０における摺動プレート２１を摺動可能に差し入れて、この摺動プレート２１を掛合手段によって箱状体１０に係脱可能に掛合させるようにしてある。
【００３７】
ここで箱状体１０に備えられる棚部材２０は、互いに向き合っている一対の同寸、同形状の長方形状をなす摺動プレート２１と、棚２２とを備えた構成としてあり、この図示例にあっては、この摺動プレート２１の下端間にわたって備えられて、この各摺動プレート２１相互を連結している長方形の板状をなす固定棚２２’と、追って説明する掛合装置３０を備えて当該摺動プレート２１に上下方向に移動可能に組み付けられている長方形の板状をなす補助棚２２”とで構成してある。なお、この固定棚２２’には適宜、必要とされる水抜き孔２２’ａを設け、この棚２２上に載せ置いた濡れもの等を手際よく乾燥し得るようにしてある。
【００３８】
かかる棚部材２０の備え付けられる箱状体１０には、該箱状体１０における側板１２における内側に、底板１４の備えられている位置から上方に向けて、前記棚部材２０における摺動プレート２１が摺動可能に案内されるガイドプレート１６が設けてある。このガイドプレート１６は、箱状体１０に備えられている底板１４及び各棚２２板１７の各側端部に設けてある矩形の割欠部に都合よく納まる断面長方形状としてあり、上下方向に長い矩形板部１６ａと、この矩形板部１６ａの各長手縁に沿って当該矩形板部１６ａから直角に屈曲して備えられている互いに向き合った側板部１６ｂ，１６ｂと、この各側板部１６ｂのそれぞれの長手縁に沿って、外向き、すなわち、互いに離れる向きに前記矩形板部１６ａに平行、すなわち、直角に屈曲して備えられている鍔部１６ｃとを備えて構成してある。
【００３９】
かかるガイドプレート１６を、前記棚部材２０における摺動プレート２１の上下方向に向けた摺動を可能とするように、側板１２、１２の互いに向き合っていいる内側面に、鍔１６ｃを押し当て、当該鍔１６ｃ部で、ビスや釘等の適宜の止着手段によって縦向きに取り付ける。このようにガイドプレート１６の備え付けられた各側板１２，１２に前記割欠部に該ガイドプレート１６を受け入れるように底板１４と各棚板１７とを架けわたすように止着してある。
【００４０】
かかる各側板１２の内側に備えらているガイドプレート１６と当該側板１２面との構成する案内孔に摺動案内される棚部材２０における摺動プレート２１は、当該ガイドプレート１６と側板１２の面とが構成する案内孔に密に嵌りあって、滑らかに摺動案内され得る形状、寸法に構成してある。また、この各摺動プレート２１には、棚部材２０を上下方向の所定位置で停止状態に維持する係合手段の一方をなす掛合孔２１ａを横向きの細長孔として、所定間隔毎に、その上下方向わたって設けてある。
【００４１】
かかる棚部材２０を箱状体１０に、その上下方向に向けた移動位置に停止維持する係合手段の他方をなす掛合装置３０が設けてある。
【００４２】
この箱状体１０に備えられる掛合装置３０は、前記掛合孔２１ａに抜き差し可能に掛合される掛合プレート３１と、この掛合プレート３１を当該掛合孔２１ａに対して確実に案内するガイドプレート３２と、このガイドプレート３２で案内される掛合プレート３１を前記掛合孔２１ａの側に向けて常時付勢する付勢手段３７と、この付勢に抗して当該掛合プレートを掛合孔２１ａ側から引き離す操作ロッド３５を含む操作手段とを備えて構成してある。
【００４３】
この掛合装置３０を構成する掛合プレート３１は、矩形の厚板状部の先端側、すなわち、掛合孔２１ａに差し込まれる側に掛合部３１ａを、後端側に平面視で三角形状をなす後側板部３１ｂを一体に設けてある。
【００４４】
かかる掛合プレート３１を案内するガイドプレート３２は、長方形状をなすベースプレート３２ａと、このベースプレート３２ａにおける各長手縁から直角に屈曲して起立されている互いに向き合う平行な一対の側板部３２ｂ，３２ｂと、この各側板部３２ｂから互いに近づく向きに直角に屈曲して張りだし設けられる各鍔部３２ｃとで、前記掛合プレートを密に摺動可能に納め入れ得る抜き差し空間を構成するようにしてあり、このベースプレート３２ａから側方に突き出し状態に設けられている耳片３２ｄ部分で、底板１４の下面にビス、釘等の適宜の止着手段で止めつけるようにしてある。
【００４５】
このように底板１４に止着されるガイドプレート３２は、前記掛合プレート２１の掛合孔２１ａに向けて、掛合プレート３１が、円滑に、かつ、確実に抜き差しできるように底板１４の両側部の下面１０ａにそれぞれ位置づけて止着してある。
【００４６】
かかるガイドプレート３２に摺動可能に嵌め入れられる掛合プレート３１は、当該ガイドプレート３２におけるベースプレート３２ａと側板部３２ｂと鍔部３２ｃ間に摺動可能に密に納め入れられる形状としてあり、その先端側の掛合部３１ａを前記棚部材２０における摺動プレート２１に設けてある掛合孔２１ａに抜き差し可能に掛合し得る構成としてあり、典型的には、この掛合プレート３１の掛合部３１ａが前記掛合孔２１ａに常時、差し入れられる向きに付勢手段３７で付勢してある。
【００４７】
この図示例に係る掛合プレート３１は、掛合プレート３１の先端部の下面側がカットされた傾斜面３１ａ’をなすようにしてあって、この傾斜面３１ａ’で、当該掛合プレート３１が摺動プレート２１の持ち上げ操作時に掛合を解かれる向きに移動するようにしてある。すなわち、掛合プレート３１の先端の上面から、当該先端位置より後部側にある下面に到る傾斜面３１ａ’を備えるように当該掛合プレート３１の先端側にカット部が設けてあり、この傾斜面３１ａ’が前記掛合孔２１ａの孔縁に接するように当該掛合孔２１ａに対して掛合プレートが抜き差し可能に差し入れ得る構成としてある。
【００４８】
かかる掛合プレート３１の抜き差し動作方向に直交する向きにガイド溝３４と操作ロッド３５とを、ほぼ同一線上に、所定間隔を離して設けてあり、このガイド溝３４に案内されるピン３３ｂを一端側に備え、かつ、他端側を前記後側板部３１ｂに枢支軸３３ａで枢支される一方リンクバー３３と、前記操作ロッド３５の先端側に枢支軸３３ｃで一端側を枢支され、かつ、他端側を前記後側板部３１ｂに枢支軸３３ａで枢支されている他方リンクバー３３とを、同寸、同形状に構成し、前記ピン３３ｂと枢支軸３３ｃを結ぶ線分と前記各リンクバー３３，３３とが、枢支軸３３ａを頂点とする二等辺三角形を構成するようにしてある。
【００４９】
この掛合装置３０を構成するガイド溝３４は、箱状体１０の底板１４の下面１０ａにビスや釘等の止着具で止着される鍔３４ａ，３４ａを両側の長手縁部に備える断面コ字状に屈曲されて底板１４の下面１０ａとの間に動作通孔を構成する樋状部３４ｂの長手に向けて設けてあり、前記ピン３３ｂを摺動可能に受け入れ得る構成としてある。
【００５０】
また、前記操作ロッド３５は、この操作ロッド３５を前記掛合プレート３１に直交する向きに往復動可能に備えるガイド部材３６によって底板１４の下面１０ａに設けてあり、この図示例にあっては、ビスや釘等の止着具によって底板１４に止着される鍔部３６ｂと、筒状ガイド部３６ａとを一体に備えるガイド部材３６に対して往復動可能に組み付けて、底板１４に取り付けてある。
【００５１】
この操作ロッド３５は、手前側に摘み３５ａを備えており、また、前記ガイド部材３６よりもリンクバー３３の枢支側に鍔３５ｂを備えており、この鍔３５ｂとガイド部材３６との間に付勢手段３７としてのコイルスプリング３７ａを組み入れてあり、操作ロッド３５を箱状体１０の奥側に常時、引き込むように付勢してある。
【００５２】
このように構成される操作ロッド３５の先端部に備えられている割欠部３５ｃに一方のリンクバー３３の一端を差し入れ、これを枢支軸３３ｃで回動可能に組み付けると共に、当該リンクバー３３の他端を前記掛合プレート３１における三角状をなす後側板部３１ｂの頂端部に枢支軸３３ａで回動可能に枢支してある。また、この枢支軸３３ａで他方のリンクバー３３の一端部を枢支してあり、しかも、このリンクバー３３の他端部に備えられるピン３３ｂを前記ガイド溝３４に摺動可能に差し入れてある。
【００５３】
このように構成される掛合装置３０では、前記コイルスプリング３７ａの付勢によって操作ロッド３５は図８に示されるように、前記ガイド溝３４に近接する箱状体１０の奥側に向けて引き込まれ、この操作ロッド３５に連結されているリンクバー３３によって掛合プレート３１を前記摺動プレート２１における掛合孔２１ａの側に押しつけ、この掛合プレート３１における先端掛合部３１ａを摺動プレート２１の掛合孔２１ａ内に押し入れ掛合させるように機能する。
【００５４】
この状態において、棚部材２０は、この棚部材２０における掛合孔２１ａの上面が掛合プレート３１の先端掛合部３１ａの上面で支承され、固定棚２２’を所定位置に位置づけ状態に維持することができる。
【００５５】
かかる構成よりなる掛合装置３０にあっては、この棚部材２０を上方に向けて移動することによって、掛合プレート３１の先端掛合部３１ａに備えられている傾斜面３１ａ’に摺動プレート２１における掛合孔２１ａの孔縁が当接し、この掛合プレート３１を前記コイルスプリング３７ａの付勢に抗して該掛合プレート３１の先端掛合部３１ａを掛合孔２１ａから押し出す向きに移動し、掛合プレート３１の掛合孔２１ａに対する掛合を解除して、上方に向けて移動させることができる。
【００５６】
また、この棚部材２０を下方に引き下ろすには、前記掛合装置３０における操作ロッド３５を、図９に示されるように手前に引くことによって、リンクバー３３に連結されている掛合プレート３１をコイルスプリング３７ａの付勢に抗して引き戻し、掛合孔２１ａに掛合している掛合プレート３１の先端掛合部３１ａを掛合孔２１ａから引き出し、その掛合状態を解いてなされる。
【００５７】
なお、この操作ロッド３５を手前に引くことによって、掛合プレート３１と掛合孔２１ａの掛合を解いた状態にすることで、当該棚部材２０を、その上下方向の任意位置まで直接移動させることができる。
【００５８】
かかる棚部材２０は、この棚部材２０を上方に押し上げた際に、箱状体１０における底板１４の下面１０ａに寄せ付けられて、開き扉１５の背面側に位置づけられるように、この寄せ付けられる棚部材２０を格納する空間を底板１４の下面１０ａと、開き扉１５の下縁との間に設けてある。（図２〜図４における仮想線で示される位置に固定棚２２’及び補助棚２２”を納め入れた状態にする。）
【００５９】
この棚部材２０の上下方向に向けた移動操作は、摺動プレート２１と、この摺動プレート２１に付帯している棚板、より具体的には、摺動プレート２１の下端間に連結してある固定棚２２’と、この摺動プレート２１に対して上下方向に移動可能に備えられている補助棚２２”とを、それそれ必要に応じて、箱状体１０の下面１０ａと玄関土間面Ａ’との間における所定の位置に位置づけて用いるものであって、前記箱状体１０の底板１４の下面１０ａに備えられている掛合装置３０による当該棚部材２０の昇降操作と共に、補助棚２２”の下面に備えてある掛合装置３０’による補助棚２２”の摺動凹レート２１に対する上下方向に向けた移動調整によってなされる。
【００６０】
この補助棚２２”は、長方形状をなす矩形棚板の両端部に前記摺動プレート２１に密に嵌りあう凹部を備えており、この凹部におけて摺動プレート２１に対して、がた無く上下方向に滑り移動思得るようにしてあり、この摺動プレート２１を滑らかに昇降される補助棚２２”の下面に前記掛合装置３０と実質的に同一の掛合装置３０’を備え付けて、当該補助棚２２”を、必要に応じて上方に引き上げ、かつ、下方に引き下ろすように構成してある。
【００６１】
なお、この補助棚２２”に備えられる掛合装置３０’では、掛合プレート３１における先端掛合部３１ａに備えられる傾斜面３１ａ’と反対の向き、すなわち、この先端掛合部３１ａの傾斜面３１ａ”が、該先端掛合部３１ａの上面側に設けてあり、この補助棚２２”を上方に向けて、例えば、固定棚２２’と共に移動した際にあっても、各掛合プレート３１の先端掛合部３１ａが掛合孔２１ａから押し出されて、掛合状態を解かれた状態とされ、任意高さまで、押し上げることができる。
【００６２】
また、図２〜図４に示されるように、一旦固定棚２２’と共に下方に引き下ろされた補助棚２２”は、この補助棚２２”を、上方に押し上げるだけで、前記掛合孔２１ａから掛合プレート３１の先端掛合部３１ａが押し出され、当該摺動プレート２１に対する掛合が解かれ、任意位置まで押し上げ移動させることができる。（図５〜図７参照）
【００６３】
このように摺動プレート２１の任意位置に位置づけられて、先端掛合部３１ａを摺動プレーーと２１の掛合孔２１ａに掛合してある補助棚２２”は、前記操作ロッド３５を図１３におけるように手前に引くことによって、掛合プレート３１の先端掛合部３１ａを掛合孔２１ａから引き出し、相互の掛合を解いた状態にして下方に向けて移動可能とされ、、固定棚２２’と下面１０ａ間の所定位置に当該補助棚２２”を移動、設けることができる。
【００６４】
掛かる固定棚２２’及び補助棚２２”を備える棚部材２０は、これらの棚部材２０を箱状体２０の底板１４に寄せ付けた際に、この固定棚２２’、補助棚２２”を備える棚部材２０が外部から隠され得るように開き扉１５の内側に収納得空間を備えており、この開き扉１５を開き出して、当該固定棚２２’、補助棚２２”を含む棚部材２０の収納と、下方に向けた移動操作をなし得るようにしてある。
【００６５】
なお、補助棚２２”の掛合装置３０’を用いた操作は、前記底板１４に備えた掛合装置３０による棚部材２０の操作と実質的に同一であり、同一にして用いることができる。
【００６６】
従って、補助棚２２”の掛合装置３０’における構成であって、前記棚部材２０の掛合装置３０と同一又は実質的に同一の構成部分には同一の番号を付して、その説明を省略する。
【００６７】
このように構成される玄関収納体Ａでは、随時、必要とされる際に、例えば、図２〜図５におけるように固定棚２２’と補助棚２２”とを重ね合わせ状態にして一気に所定位置まで引き下ろし、図５〜図７のように補助棚２２”を適宜、上方に押し上げて所定の位置に中間棚板を構成して用いることができる。
【００６８】
また、玄関部において、履物等の整理をする必要の無くなった際に、この棚部材２０における固定棚２２’を上方に押し上げることによって、各掛合孔２１ａに掛合されている掛合装置３０における掛合プレート３１の掛合が解かれ、当該棚部材２０を上方に移動でき、かつ、この固定棚２２’が補助棚２２”を押し上げることで、この補助棚２２”における掛合装置３０’の掛合プレート３１が摺動プレート２１の各掛合孔２１ａから押し出されて掛合が解かれ、当該棚部材２０を底板１４の下面１０ａに向けて都合よく寄せ付け収納することができる。
【図面の簡単な説明】
【００６９】
【図１】典型的な玄関収納体を備える玄関の要部斜視図
【図２】同玄関収納体の要部破断正面図
【図３】同玄関収納体の要部破断側面図
【図４】同要部拡大断面図
【図５】同補助棚の棚位置を変更した状態の要部破断正面図
【図６】同要部破断側面図
【図７】同要部拡大断面図
【図８】同掛合状態にある箱状体の底板の下方から見た要部底面図
【図９】同掛合を解いた状態の要部底面図
【図１０】同要部部品の分離斜視図
【図１１】同棚部材の下部側の要部を示す斜視図
【図１２】同掛合状態にある箱状体の補助棚の下側から見た要部底面図
【図１３】同掛合を解いた状態の要部底面図
【図１４】同要部部品の分離斜視図
【符号の説明】
【００７０】
Ａ  玄関収納体
Ｂ  玄関土間
Ｂａ  玄関土間面
１０  箱状体
２０  棚部材
２１  摺動プレート
２２  棚
２２’  固定棚
２２”  補助棚
３０  掛合装置
３０’  掛合装置
【図１】
2008073452.tif 000003
【図２】
2008073452.tif 000004
【図３】
2008073452.tif 000005
【図４】
2008073452.tif 000006
【図５】
2008073452.tif 000007
【図６】
2008073452.tif 000008
【図７】
2008073452.tif 000009
【図８】
2008073452.tif 000010
【図９】
2008073452.tif 000011
【図１０】
2008073452.tif 000012
【図１１】
2008073452.tif 000013
【図１２】
2008073452.tif 000014
【図１３】
2008073452.tif 000015
【図１４】
2008073452.tif 000016